(57)【特許請求の範囲】
【請求項１】
ボウルを備えた便器本体の側部に、支持アームの下端部を取り付け、この支持アームの上端部に、前記便器本体側に背中を向けた状態から便座に着座した使用者の胸部を支持するための支持部を取り付け、
この支持部を、前記便座に着座した使用者の胸部を支持する支持位置と、この支持位置より側方の待機位置との間で移動自在としたことを特徴とする便器。
【請求項２】
前記支持部の側部に、前記便座に着座した使用者の腕を載せるための腕置部を設けたことを特徴とする請求項１に記載の便器。
【請求項３】
前記支持部に、使用者の胸部を支持する機能以外の他の機能部を設けたことを特徴とする請求項１または２に記載の便器。
【請求項４】
前記機能部は、前記支持部の温度を調整するための温度調整装置、または、消臭装置、または、前記支持部で支持した使用者の生体情報を測定する生体情報測定装置及び測定した生体情報が異常である場合に外部に報知する警報装置、または、これらの装置を２つ以上を組み合わせたものであることを特徴とする請求項３に記載の便器。
【発明の詳細な説明】
【技術分野】
【０００１】
本発明は、使用者の排泄時の姿勢維持を補助する便器に関するものである。
【背景技術】
【０００２】
一般的に、便器に着座した使用者は、排泄をスムーズに行うため、上体をやや前方に傾かせた姿勢になる。
【０００３】
特許文献１には、この使用者の排泄時の姿勢維持を補助する便器６が提案されている。
【０００４】
特許文献１の便器６では、図５（ａ）に示すように、便器本体６０の前部に支持アーム７が固定されており、この支持アーム７の上端部に支持部８が設けられている。また、便器本体６０には、上端部に便蓋９が設けられている。
【０００５】
この便器６を使用する際、図５（ｂ）に示すように、使用者は便蓋９を支持アーム７に立て掛けて、支持アーム７の両脇に足を置いた状態で便座６１に座る。そして、上体をやや前方に傾かせ、胸部を支持部８に押し当てることで、この排泄時の姿勢を楽に維持することができる。
【先行技術文献】
【特許文献】
【０００６】
【特許文献１】特開２００２−５８６１６号公報
【発明の概要】
【発明が解決しようとする課題】
【０００７】
しかし、上述した便器６では、便器本体６０の前部に支持アーム７と支持部８が位置するため、便器６側に背中を向けた状態で便器６の前方に立ち、そこから便座６１に腰を下ろそうとしても、この支持アーム７と支持部８とが邪魔になる。そのため、便器６の前方に立ち、そのまま腰を下ろすといった楽な方法で便座６１に座ることができない。
【０００８】
また、排泄が終わって支持アーム７の両脇に足を置いたままその場に立とうとしても、支持アーム７の上端部の支持部８が邪魔になって立ち難い。またこのように立つと、支持アーム７に立てかけた便蓋９や支持部８に使用者の局部が当たって、不衛生である。
【０００９】
このように、便座６１に座る際にも、便座６１から立ち上がる際にも、支持アーム７や支持部８が邪魔になるため、上述した便器６は使い勝手の良くないものであった。
【００１０】
そこで、上記事情を鑑みて、本発明は、使用勝手が良くて、排泄時の使用者の姿勢維持を補助できる便器を提案することを課題とする。
【課題を解決するための手段】
【００１１】
上記課題を解決するために本発明の便器は、ボウルを備えた便器本体の側部に、支持アームの下端部を取り付け、この支持アームの上端部に、前記便器本体側に背中を向けた状態から便座に着座した使用者の胸部を支持するための支持部を取り付け、この支持部を、前記便座に着座した使用者の胸部を支持する支持位置と、この支持位置より側方の待機位置との間で移動自在としたことを特徴とする。
【００１２】
また、前記支持部の側部に、前記便座に着座した使用者の腕を載せるための腕置部を設けることが好ましい。
【００１３】
また、前記支持部に、使用者の胸部を支持する機能以外の他の機能部を設けることが好ましい。
【００１４】
また、前記機能部は、前記支持部の温度を調整するための温度調整装置、または、消臭装置、または、前記支持部で支持した使用者の生体情報を測定する生体情報測定装置及び測定した生体情報が異常である場合に外部に報知する警報装置、またはこれらの装置を２つ以上組み合わせたものであることが好ましい。
【発明の効果】
【００１５】
本発明の便器は、便座に着座した使用者の胸部を支持する支持部を、使用者の胸部を支持する支持位置と、その側方の待機位置に移動させることができる。加えて、本発明の便器では、この支持部を支持する支持アームが便器本体の側部に設けられている。そのため、本発明の便器は、この支持部と支持アームが邪魔になりにくく、便座からの立ち上がりや便座への着座が簡単に行える。これにより本発明の便器は、使用勝手が良くて、排泄時の使用者の姿勢維持を補助できる便器となっている。
【図面の簡単な説明】
【００１６】
【図１】本発明の第一実施形態の便器を示す斜視図である。
【図２】同上の便器を示し、（ａ）は支持部が待機位置にあるときの平面図であり、（ｂ）は支持部が支持位置にあるときの平面図である。
【図３】同上の便器に使用者が座り、支持部で胸部を支持した状態を示す側面図である。
【図４】本発明の第二実施形態の便器を示す側面図である。
【図５】従来の便器を示し、（ａ）は使用前の状態を示す斜視図であり、（ｂ）は使用の際の状態を示す斜視図である。
【発明を実施するための形態】
【００１７】
本発明を添付図面に示す実施形態に基づいて説明する。第一実施形態の便器１は、使用者の排泄時の姿勢維持を補助する洋式便器である。便器１は、身体の自由の利きにくい高齢者や障害者に特に好適に用いられる。
【００１８】
本実施形態の便器１は、図１に示すように、ボウルとその外周を覆うスカートとを備える便器本体１０と、便器本体１０上に載置される便座１１と便蓋１２とを有する。便座１１及び便蓋１２は、便器本体１０上の一端部に枢支されている。便器１は、便所の床面に固定されている。なお、便器１はポータブルタイプであってもかまわない。以下、この便座１１及び便蓋１２が枢支されている端部側を後方とし、その反対側を前方として説明を行う。
【００１９】
便器本体１０の側部には、上下に延びた支持アーム２の下端部２０が取り付けられている。この支持アーム２の上端部２１には、支持部３が取り付けられている。支持部３は、便座１１に着座した使用者の胸部を支持する支持位置と、この支持位置より側方の待機位置との間で移動自在となるように設けられている。
【００２０】
詳しくは、本実施形態では、支持アーム２の下端部２０が、便器本体１０の側部に回転自在に取り付けられており、この下端部２０が回転することで、支持アーム２の上端部２１に固定された支持部３が支持位置と待機位置との間で移動する。
【００２１】
便器本体１０の側部には、支持アーム２の下端部２０を回転自在に支持するアーム支持部１３が溶着等によって固定されている。アーム支持部１３には、支持アーム２の下端部２０を、回転自在に支持する枢支穴１４が設けられている。この枢支穴１４は、支持アーム２の下端部２０を、上下方向を軸とする回転が可能なように支持する。
【００２２】
支持アーム２は、下端部２０を構成する上下方向に延びる軸部２２と、この軸部２２の上端部に連続し、この軸部２２に対して斜めに傾斜した傾斜部２３とを備える。この傾斜部２３の軸部２２に連続しない側の端部が上端部２１であり、上端部２１には支持部３が固定されている。
【００２３】
このような構成とすることで、支持アーム２は軸部２２を中心に回動し、これに伴って支持部３が、図２（ｂ）に示す便座に着座した使用者の胸部を支持する支持位置と、図２（ａ）に示すこの支持位置より側方の待機位置と、の間で移動する。
【００２４】
なお、図示していないが、アーム支持部１３には軸部２２の回転を止めるストッパーを備えており、このストッパーによって、支持部３が支持位置に位置した時点で、この支持部３の待機位置方向への移動を停止することができる。このストッパーによる停止は、ある一定以上の力を加えるか、あるいは、支持部３を支持位置からさらに待機位置と反対方向へ移動させることで解除可能である。
【００２５】
支持部３は、図３に示すように、便座１１に座った使用者の胸部を支持する高さに位置するように、支持アーム２の上端部２１に設けられている。
【００２６】
また、支持部３の側部の下部には、便座１１に座った使用者の腕を載せるための腕置部４を一体に備えている。本実施形態では、この腕置部４を介して支持部３が支持アーム２の上端部２１に固定されている。腕置部４は、図３に示すような、支持部３で胸部を支持した姿勢で楽に腕を置けるように、支持部３に対する位置が決められている。なお、支持部３の胸部に接触する部分や、腕置部４の腕に接触する部分は、クッション材で形成されることが好ましい。
【００２７】
支持部３と腕置部４は、待機位置に位置する状態で、図２（ａ）に示すように、便器本体１０よりも側方に位置する。これにより、便器１の前方が開放された状態となる。
【００２８】
また、支持部３は、支持位置に位置する状態で、図２（ｂ）に示すように、便器本体１０の前部の上方に位置する。また、この状態で、腕置部４は、便器本体１０の側部の上方に位置する。
【００２９】
なお、本実施形態では、支持部３は板状に形成しているが、他の形状であってもかまわない。また、腕置部４は略水平な板状に形成しているが、傾きや形状はその他のものであってもかまわない。
【００３０】
上述した便器１の使用方法の一例について説明する。
【００３１】
便座１１に座る際、まず、図２（ａ）に示すように、支持部３を待機位置へ移動させる。すると、便器１の前方には支持部３も支持アーム２も位置しない状態となる。そのため、使用者は、便器１側に背中を向けた状態で便器１の前方に立ち、そこから便座１１に腰を下ろすといった楽な方法で便座１１に簡単に座ることができる。
【００３２】
次いで、図２（ｂ）に示すように、支持部３を支持位置へ移動させ、支持部３を便座１１に座った使用者の前方に位置させる。使用者は、図３に示すように、上体をやや前方に傾かせて胸部を支持部３で支持させることで、この排泄に適した姿勢を楽に維持することができる。さらにこのとき、図３に示すように、腕置部４に腕を置くことで、使用者は腕置部４と支持部３の両方で支持されることになり、より安定した状態で上述の姿勢を維持することができる。
【００３３】
排泄が終わったら、図２（ａ）に示すように、支持部３を待機位置へ移動させ、使用者の前方に支持部３が位置しない状態にする。このようにすることで、使用者は、支持部３に邪魔されることなく、便座１１から立ち上がることができる。ここで、使用者の前方には支持部３が位置しないので、使用者の局部が支持部３に接触することもなく、これにより支持部３が不衛生となることも防止できる。
【００３４】
以上のように、本実施形態の便器１は使用することができる。そのため、本実施形態の便器１は、便座１１から立ち上がる際や便座１１に座る際に支持部３や支持アーム２が邪魔にならず、使用勝手がよくて、排泄時の姿勢維持を補助できる便器１となっている。
【００３５】
続いて、図４に示す本発明の第二実施形態の便器１について説明する。ここで、第一実施形態の便器１と同じ構成については、同じ符号を付けて説明を省略し、異なる構成についてのみ詳しく説明する。
【００３６】
第二実施形態の便器１では、支持部３に、使用者の胸部を支持する機能以外の他の機能部５を設けている。なお、本実施形態では、支持部３に機能部５を内蔵しているが、支持部３の外側に機能部５を取り付けるようにしてもかまわない。機能部５としては、支持部３の温度を調整するための温度調整装置５０や、消臭装置５１や、支持部３で支持した使用者の生体情報を測定する生体情報測定装置５２及び測定した生体情報が異常である場合に外部に報知する警報装置５３等が挙げられる。なお、これらの装置を２つ以上組み合わせたものであってもよい。
【００３７】
温度調整装置５０としては、支持部３の温度を温める加温装置や、支持部３の温度を冷やす冷却装置が挙げられる。なお、加温装置と冷却装置の両方を備えていてもよい。これらの装置を支持部３に備えることで、支持部３を周囲の温度に合わせた快適な温度に調整することができる。これにより、使用者は快適な温度に調整された支持部３で胸部を支持することができる。なお、周囲の温度に合わせて、支持部３の温度を調整する制御部を備えるようにしてもよい。
【００３８】
また、消臭装置５１は、支持部３の臭いや、支持部３周りの臭いを消臭する。なお、消臭装置５１は、芳香剤であってもかまわない。支持部３は、使用者が胸部を支持する部分であり、使用者の鼻に近いため、効果的に消臭を行うことができる。また、支持部３の臭いを消臭するようにしたことで、支持部３を清潔にできる。このように消臭装置５１を支持部３に設けることで、使用者は快適な状態で支持部３を使用することができる。
【００３９】
また、生体情報測定装置５２としては、支持部３に押し当てた使用者の胸部の心拍を測定する心拍測定装置等が挙げられる。警報装置５３は、心拍測定装置で測定した心拍に異常があった場合に、異常であることを音や光やその組み合わせで外部に報知する。これにより、使用者の健康状態が異常である場合には、コールボタン等の他の報知手段を操作しなくても、自動的に警報装置５３が外部に報知してくれる。よって、この生体情報測定装置５２及び警報装置５３を支持部３に設けることで、使用者の体調が急に悪くなった場合に、早急な対応が可能となる。
【００４０】
以上まとめると、第一及び第二の実施形態の便器１は、ボウルを備えた便器本体１０の側部に、支持アーム２の下端部２０を取り付け、この支持アーム２の上端部２１に、便座１１に着座した使用者の胸部を支持するための支持部３を取り付けている。この支持部３を、便座１１に着座した使用者の胸部を支持する支持位置と、この支持位置より側方の待機位置との間で移動自在としている。
【００４１】
このような構成とすることで、第一及び第二の実施形態の便器１では、使用者は、支持部３を、使用者の胸部を支持する支持位置と、この支持位置の側方の待機位置に移動させることができる。支持部３を支持位置に移動させることで、使用者は便座１１に着座した状態で支持部３により胸部を支持することができ、上体をやや前方に傾けた排泄時の姿勢維持を楽に行うことができる。また、支持部３を、支持位置の側方の待機位置に移動させることで、便座１１に着座した使用者の前方にあった支持部３が側方に移動するため、この支持部３が便座１１から立ち上がる際に邪魔になりにくい。また、この際、支持部３を支持する支持アーム２が便器本体１０の側部に設けられているため、この支持アーム２も邪魔になりにくい。また、便座１１から立ち上がる際、支持部３も支持アーム２も邪魔になりにくいので、この支持部３や支持アーム２に使用者の局部が接触して、支持部３や支持アーム２が不衛生となることも防止できる。
【００４２】
以上のように、第一及び第二の実施形態の便器１は、便座１１に座ったり便座１１から立ち上がったりする際に、支持アーム２や支持部３が邪魔にならず、使い勝手がよくて、排泄時の使用者の姿勢維持を補助できる便器となっている。
【００４３】
また、第一及び第二の実施形態の便器１では、支持部３の側部に、便座１１に着座した使用者の腕を載せるための腕置部４を設けている。
【００４４】
このような構成とすることで、第一及び第二の実施形態の便器１では、使用者は腕置部４に腕を載せながら、支持部３に胸部を支持させることができる。このように使用者の腕と胸部の両方を支えるようにすることで、第一及び第二の実施形態の便器１は、より安定して、使用者の姿勢維持を補助できる便器となっている。
【００４５】
また、第二の実施形態の便器１では、支持部３に、使用者の胸部を支持する機能以外の他の機能部５を設けている。
【００４６】
このような構成とすることで、第二の実施形態の便器１では、支持部３に、使用者の胸部を支持する機能に加えて、機能部５による機能を持たせることができる。これにより、第二の実施形態の便器１は、使用者によってより使い勝手の良い便器１となる。
【００４７】
また、第二の実施形態の便器１では、機能部５は、支持部３の温度を調整するための温度調整装置５０、または、消臭装置５１である。または、機能部５は、支持部３で支持した使用者の生体情報を測定する生体情報測定装置５２及び測定した生体情報が異常である場合に外部に報知する警報装置５３である。または、機能部５は、これらの装置のうち２つ以上を組み合わせたものである。
【００４８】
このような構成とすることで、第二の実施形態の便器１では、支持部３によって使用者の胸部を支持したうえで、さらに以下の機能を発揮することができる。すなわち、温度調整装置５０により支持部３を温めたり、冷やしたりすることで、支持部３の温度を調節して、使用者にとって快適な温度となった支持部３で使用者の姿勢維持を補助することができる。また、消臭装置５１により支持部３の消臭や、支持部３周りの消臭を行うことで、使用者に快適に支持部３を利用させることができる。また、生体情報測定装置５２により支持部３で支持する使用者の胸部から脈拍等の生体情報を測定して、その測定した情報が異常である場合には警報装置５３により外部に報知することで、支持部３にもたれるだけで健康管理を行うことができる。また、これらの機能を組み合わせて発揮することも可能である。これにより、第二の実施形態の便器１は、使用者によってより使い勝手の良い便器１となる。
【００４９】
なお、上述の実施形態では、アーム支持部１３に、支持アーム２の下端部２０を回転自在に取り付けていたが、その他の構成で、支持部３を支持位置と待機位置の間で移動可能としてもよい。例えば、アーム支持部１３に支持アーム２の下端部２０を固定し、支持アーム２の上端部２１に支持部３を回転自在に取り付けるようにしてもよい。また、支持部３の移動方法は支持アーム２や支持部３の回転によるものではなく、スライドによるものでもよい。すなわち、アーム支持部１３に支持アーム２の下端部２０を固定し、支持アーム２の上端部２１に支持部３を左右にスライド可能となるように取り付けてもよい。
【００５０】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００５１】
１      便器
２      支持アーム
３      支持部
４      腕置部
５      機能部
１０    便器本体
１１    便座
２０    下端部
２１    上端部
５０    温度調整装置
５１    消臭装置
５２    生体情報測定装置
５３    警報装置
【図１】
0006020984.tif 000002
【図２】
0006020984.tif 000003
【図３】
0006020984.tif 000004
【図４】
0006020984.tif 000005
【図５】
0006020984.tif 000006